(57)【要約】【課題】光ディスクの回転に伴う騒音を低減する。【解決手段】ディスク傾倒防止用の爪部として、トレイ本体８０の凹所８０ｂ内に実質的にセットされた光ディスク１０の外周縁近傍の一部に対向可能な状態でトレイ本体の凹所の周壁８０ｃから内側に向けて突設された段差が存在しない滑らかな先端形状を有する庇部８８を含んでいる。この庇部８８は、段差が存在しない滑らかな先端形状を有しているので、従来の爪と比べて光ディスクの回転に伴って発生する気流中での抵抗が小さく、カルマン渦の発生度合いが低減される。従って、光ディスクの回転に伴う風切り音の発生を抑制することが可能となり、これにより、光ディスクの回転に伴う騒音を低減させることが可能となる。【選択図】  図３
2004234724.tif 000002
【特許請求の範囲】
【請求項１】
ディスク回転装置本体に装着され、前記ディスク回転装置本体を構成する筐体内のディスク回転位置に対して前記筐体に形成された開口部を介してディスクを搬入する際及び前記回転位置から前記開口部を介して外部の出し入れ位置に前記ディスクを搬出する際に用いられるトレイであって、
ディスクを収容可能な凹所が形成されたトレイ本体部と；
前記凹所内に実質的にセットされた前記ディスクの外周縁近傍の一部に対向可能な状態で前記トレイ本体部の前記凹所の周壁から内側に向けて突設された段差が存在しない滑らかな先端形状を有する特定の爪部を含む少なくとも１つのディスク傾倒防止用の爪部と；を備えるトレイ。
【請求項２】
前記ディスク傾倒防止用の爪部は、複数設けられ、全ての爪部が前記特定の爪部であることを特徴とする請求項１に記載のトレイ。
【請求項３】
前記特定の爪部は、その先端部の形状が、円の一部又は楕円の一部を構成する弧状であることを特徴とする請求項１又は２に記載のトレイ。
【請求項４】
前記ディスク傾倒防止用の爪部として、前記ディスクの外周縁近傍のほぼ全域に対向可能となるように設けられた、複数の前記特定の爪部を有することを特徴とする請求項１〜３のいずれか一項に記載のトレイ。
【請求項５】
前記特定の爪部は、少なくとも前記ディスクに対向する側の面が曲面とされていることを特徴とする請求項１〜４のいずれか一項に記載のトレイ。
【請求項６】
ディスクを所定の回転位置にて回転駆動するディスク回転装置であって、
開口部が形成された筐体を含んで構成されるディスク回転装置本体と；
前記筐体内の前記ディスク回転位置に対して前記開口部を介して前記ディスクを搬入する第１位置と前記回転位置から前記開口部を介して外部の出し入れ位置に前記ディスクを搬出する第２位置との間で移動可能に前記ディスク回転装置本体に装着された請求項１〜５のいずれか一項に記載のトレイと；を備えるディスク回転装置。
【請求項７】
前記ディスクは、情報記録媒体であり、
前記筐体内に配置され、前記情報記録媒体に対する情報の記録、再生及び消去のうち、少なくとも再生を行うヘッド部を更に備えることを特徴とする請求項６に記載のディスク回転装置。
【請求項８】
前記情報記録媒体は光ディスクであり、
前記ヘッド部は光ピックアップであることを特徴とする請求項７に記載のディスク回転装置。
【発明の詳細な説明】
【０００１】
【発明の属する技術分野】
本発明は、トレイ及びディスク回転装置に係り、更に詳しくは、光ディスクドライブ装置などのディスク回転装置の本体内へのディスクのローディング及び本体内から外部へのディスクのアンローディングに用いて好適なトレイ、及び該トレイを備えたディスク回転装置に関する。
【０００２】
【従来の技術】
近年、情報機器のデジタル化とこれに伴うマルチメディア機器の急速な発展によって、取り扱う情報量（データ量）が急増している。そのため、各種情報記録媒体に対しても更なる大容量化の要請がなされている。このため、コンピュータ、音響機器又は映像機器においては、情報記録媒体として、コンパクトディスク（Ｃｏｍｐａｃｔ  Ｄｉｓｃ：以下「ＣＤ」と略述する）や、ＣＤの約７倍相当のデータをＣＤと同じ直径のディスクに記録可能としたＤＶＤ（Ｄｉｇｉｔａｌ  Ｖｅｒｓａｔｉｌｅ  Ｄｉｓｃ）等の光ディスクが用いられている。この光ディスクに対する情報の記録及び再生のため、ディスクを回転させながら当該ディスクの表面にレーザビームを照射し、ディスクの記録面上にマーク領域及びスペース領域を形成することによって情報を記録したり、ディスクから反射された光を光電検出してディスク表面上に記録された情報を読み取ったりする光ディスクドライブ装置が用いられる。
【０００３】
光ディスクドライブ装置は、内部に光ピックアップを備えた装置本体と、装置本体の前面に設けた開口から内外へ進退可能に支持され且つ光ディスクを着脱自在に保持する受け皿部を備えたトレイと、光ディスクを受け皿部に保持したトレイを装置本体内に装填したときに受け皿部上の光ディスクを回転可能に支持する光ディスク回転機構と、光ピックアップ駆動機構および光ディスク回転機構を保持するための構造体と、さらにトレイを装置本体前面に引き出し又は収納するための開口部を有するフロントパネルを備えた構成を有している。
【０００４】
光ディスクドライブ装置は、上記のように記録及び再生の対象となる光ディスクの記憶容量が大きいことに加え、単位記憶容量あたりの単価が安いことから、パソコンの主な周辺機器としての開発が進められ、データの読み出し速度は高速化の一途を辿っている。
【０００５】
一般に、データの読み出し速度を大きくする方法として、ディスクの回転数を大きくする方法が採られている。初期の光ディスクドライブ装置の基準回転速度（２００ｒｐｍ）を１とすると、現行では、３２倍速（６４００ｒｐｍ）以上のものが一般的となっており、最近では５０倍速（１００００ｒｐｍ）を超えるものも多く存在するようになっている。
【０００６】
また、光ディスクドライブ装置の業界では、パーソナルコンピュータの小型化に伴って、ディスクドライブ装置の狭いスペース内への設置を目的とした縦置き使用を行うことが一般的となってきた。光ディスクドライブ装置を縦置きにして使用する場合、光ディスクを装置内にローディングする際（及びアンローディングする際）にトレイの皿状の凹所（受け皿部と呼ばれる）のみでディスクを保持することとすると、ディスクが自重ですべり落ち、あるいは傾倒してしまい、使用が困難である。このため、縦置き使用を想定した光ディスクドライブ装置では、トレイの受け皿部周辺に、光ディスクの外周の一部に対して多少の遊びをもって係合する、ディスクの滑り落ち又は傾倒を防止する傾倒防止用の機構（例えば爪又はフック）が設けられているものが一般的である。
【０００７】
例えば、トレイの受け皿部周辺に、別個に製造した可動式のフックを備え付け、縦置き使用時のローディングに対応したディスク装置が知られている（例えば、特許文献１等参照）。
【０００８】
この他、一端部がトレイ受け皿周辺部に固定された状態の弾性舌片を有し、該弾性舌片の他端部が保持片のＵ字状部に嵌合可能な構成とすることで、別部材を用いることなく、縦置き使用時のローディングに対応したディスクプレイヤも知られている（例えば、特許文献２等参照）。
【０００９】
【特許文献１】
特開平６−２５１４７９号公報
【特許文献２】
特開２００１−００６２４６号公報
【００１０】
【発明が解決しようとする課題】
光ディスクドライブ装置を縦置きにしてローディング動作を行うためには、トレイの受け皿部周辺の傾倒防止用の爪又はフック（以下、「傾倒防止用爪」と総称する）は必要であるが、該傾倒防止用爪は、ディスクの回転環境（以下、「ディスク回転域」とも記述する）内では渦（カルマン渦）の発生源となる突起物となる。上記のカルマン渦（又はカルマンの渦列）の発生による空気の振動が、ディスク回転による風切り音に他ならない。すなわち、光ディスクドライブ装置の縦置き時の傾倒防止用爪は、その風切り音を増大させるものである。ディスク回転に伴うカルマン渦の発生頻度は回転速度がある範囲内では、回転周波数（回転速度）に応じたものとなり、回転周波数に応じて風切り音は変化する。
【００１１】
実際、光ディスクドライブ装置の騒音は、単倍速、すなわち１０倍速（２０００ｒｐｍ）未満の回転数では、それほど気になるものではなかったが、１０倍速以上、特に、３２倍速以上の回転数では、大きな騒音となっている。
【００１２】
この場合、縦置き時の傾倒防止用爪がディスク回転域内に常時突出している場合のみならず、上記特許文献１や特許文献２のように、可動式の傾倒防止用爪を有する場合であっても、縦置きで使用している間は、ディスクドライブ装置内に取り込まれた後でも、その爪はディスクの回転域内に突出しているので、ディスク回転による風切り音が増大する原因となっている。
【００１３】
従来、この騒音対策としては、トレイが光ディスクドライブ装置内に収容された際に、フロントパネルの開口部からディスクドライブ装置内で生じる騒音が外部に漏れ出さないような対策を施していた。例えば、ディスクドライブ装置とトレイの外側の端部に開口部を閉塞するドアを一体的に取り付け、このドアと光ディスクドライブ装置の本体との間に、シール部材を設けるなどの対策である。
【００１４】
しかしながら、この部分は、ユーザによる視認が常に可能な部分であるので、ディスクドライブ装置の外観に少なからず影響を与えるのみならず、ディスク回転が高速化した最新の光ディスクドライブ装置では、騒音対策として不十分なものとなっている。
【００１５】
本発明は、かかる事情の下になされたものであり、その第１の目的は、ディスク回転装置のディスクのローディング及びアンローディグに用いた場合に、ディスクの回転に伴う騒音を低減させることが可能なトレイを提供することにある。
【００１６】
本発明の第２の目的は、装置の外観を損なうことなく、ディスクの回転に伴う騒音を低減することが可能なディスク回転装置を提供することにある。
【００１７】
【課題を解決するための手段】
請求項１に記載の発明は、ディスク回転装置本体に装着され、前記ディスク回転装置本体を構成する筐体内のディスク回転位置に対して前記筐体に形成された開口部を介してディスクを搬入する際及び前記回転位置から前記開口部を介して外部の出し入れ位置に前記ディスクを搬出する際に用いられるトレイであって、ディスクを収容可能な凹所が形成されたトレイ本体部と；前記凹所内に実質的にセットされた前記ディスクの外周縁近傍の一部に対向可能な状態で前記トレイ本体部の前記凹所の周壁から内側に向けて突設された段差が存在しない滑らかな先端形状を有する特定の爪部を含む少なくとも１つのディスク傾倒防止用の爪部と；を備えるトレイである。
【００１８】
本明細書において、単に「ディスク」と記述するときは、「ディスク」は、光ディスク等の情報記録媒体のみを意味するものではなく、通常と同様、「円盤」又は「円板状の物体」を意味する。また、本明細書において、「ディスク傾倒防止用の爪部」とは、トレイ本体部がほぼ鉛直となるディスク回転装置の縦置き使用時に、凹所内に実質的にセットされたディスクの脱落、傾倒を防止するための爪又はフックなどを意味する。
【００１９】
これによれば、ディスク傾倒防止用の爪部として、トレイ本体部の凹所内に実質的にセットされたディスクの外周縁近傍の一部に対向可能な状態でトレイ本体部の凹所の周壁から内側に向けて突設された段差が存在しない滑らかな先端形状を有する特定の爪部を含んでいる。この場合、ディスク傾倒防止用の爪部は、この特定の爪部と、従来の爪部と同様の爪部とを含んでいても良いし、特定の爪部のみであっても良い。また、その数も、ディスク回転装置の縦置き使用時にディスクの傾倒を防止できれば、任意で良い。
【００２０】
いずれにしても、特定の爪部は、段差が存在しない滑らかな先端形状を有するので、従来の爪と比べてディスクの回転に伴って発生する気流中での抵抗が小さく、カルマン渦の発生度合いを低減できる。従って、ディスクの回転に伴う風切り音の発生を抑制することが可能となり、これにより、ディスクの回転に伴う騒音を低減させることが可能となる。このディスク回転に伴う騒音の低減は、ディスク回転装置の縦置き使用時及びトレイを水平に向けるディスク回転装置の横置き使用時のいずれであっても可能であることは言うまでもない。
【００２１】
この場合において、請求項２に記載のトレイの如く、前記ディスク傾倒防止用の爪部は、複数設けられ、全ての爪部が前記特定の爪部であることとすることができる。かかる場合には、より一層ディスクの回転に伴う風切り音の発生を低減させることができる。
【００２２】
上記請求項１及び２に記載の各トレイにおいて、特定の爪部の段差が存在しない滑らかな先端形状としては、種々の形状が考えられるが、例えば、請求項３に記載のトレイの如く、前記特定の爪部は、その先端部の形状が、円の一部又は楕円の一部を構成する弧状であることとすることができる。
【００２３】
上記請求項１〜３に記載の各トレイにおいて、請求項４に記載のトレイの如く、前記ディスク傾倒防止用の爪部として、前記ディスクの外周縁近傍のほぼ全域に対向可能となるように設けられた、複数の前記特定の爪部を有することとすることができる。
【００２４】
上記請求項１〜４に記載の各トレイにおいて、請求項５に記載のトレイの如く、前記特定の爪部は、少なくとも前記ディスクに対向する側の面が曲面とされていることとすることができる。かかる場合には、特定の爪部の先端部近傍の断面形状が流線型に近い形状となるので、ディスク回転に伴う気流に対する抵抗をより小さくすることが可能となり、風切り音をより一層低減することができる。
【００２５】
請求項６に記載の発明は、ディスクを所定の回転位置にて回転駆動するディスク回転装置であって、開口部が形成された筐体を含んで構成されるディスク回転装置本体と；前記筐体内の前記ディスク回転位置に対して前記開口部を介して前記ディスクを搬入する第１位置と前記回転位置から前記開口部を介して外部の出し入れ位置に前記ディスクを搬出する第２位置との間で移動可能に前記ディスク回転装置本体に装着された請求項１〜５のいずれか一項に記載のトレイと；を備えるディスク回転装置である。
【００２６】
これによれば、請求項１〜５のいずれか一項に記載のトレイを備えているので、いわゆる縦置き、横置きのいずれの使用時であっても、ディスク回転装置本体内でのディスクの回転駆動による風切り音の発生が抑制されるので、騒音の発生を低減することが可能である。また、この場合、風切り音の低減のために、ディスク回転装置本体の筐体の開口部周辺に対して特別な防音対策を施す必要がない。従って、装置の外観を損なうことなく、ディスクの回転に伴う騒音を低減した、いわゆる静音設計のドライブ装置が提供される。
【００２７】
この場合において、請求項７に記載のディスク回転装置の如く、前記ディスクは、情報記録媒体であり、前記筐体内に配置され、前記情報記録媒体に対する情報の記録、再生及び消去のうち、少なくとも再生を行うヘッド部を更に備えることとすることができる。
【００２８】
この場合において、請求項８に記載のディスク回転装置の如く、前記情報記録媒体は光ディスクであり、前記ヘッド部は光ピックアップであることとすることができる。すなわち、本発明のディスク回転装置が、光ディスクドライブ装置であることとすることができる。
【００２９】
【発明の実施の形態】
以下、本発明の一実施形態を図１〜図７に基づいて説明する。図１には、本発明のディスク回転装置の一実施形態に係る光ディスクドライブ装置（以下、「ドライブ装置」と略述する）１００の概略斜視図が示されている。
【００３０】
この図１に示されるドライブ装置１００は、ディスク（及び情報記録媒体）としての光ディスク１０の搬入及び搬出を行うとともに、搬入された光ディスク１０に対する情報の記録及び再生（及び消去）などを行う。光ディスク１０としては、例えばＣＤ−Ｒ（ＣＤ−ｒｅｃｏｒｄａｂｌｅ）、ＣＤ−ＲＷ（ＣＤ−ｒｅｗｒｉｔａｂｌｅ）などのＣＤ系の規格に準拠した情報記録媒体が用いられる。
【００３１】
ドライブ装置１００は、ヘッド部としての光ピックアップＰＵ（図５参照）等が内蔵され、光ディスク１０への情報の記録、光ディスク１０に記録されている情報の再生（及び消去）などを行うディスク回転装置本体としてのドライブ装置本体９０と、該ドライブ装置本体９０を構成する箱型の筐体９１に装着されたトレイ８１とを備えている。
【００３２】
前記トレイ８１は、図１中の矢印Ａ、Ａ’方向（±Ｙ方向）に往復移動可能にドライブ装置本体９０の筐体９１に装着されており、筐体９１内部の後述するディスク回転位置に光ディスク１０をローディング（搬入）する際、及びそのディスク回転位置からドライブ装置本体９０外部のディスク出し入れ位置に光ディスク１０をアンローディング（搬出）する際に用いられる。
【００３３】
トレイ８１は、トレイ本体部としてのトレイ本体８０及び該トレイ本体８０の一端（＋Ｙ側の端部）に取り付けられたドア８９等を備えている。この場合、トレイ８１が矢印Ａ’方向の移動限界位置まで移動した際に、ドア８９がドライブ装置本体９０の筐体９１を構成するフロントベゼル２５の開口部２５ａに嵌合し、ドライブ装置１００の前面部が見かけ上一枚板となるようになっている。なお、トレイ８１の具体的な構成等については後に更に詳述する。
【００３４】
前記筐体９１は、ドライブ装置１００の要部の分解斜視図である図２に示されるように、底壁及該底壁から立ち上がった３方（＋Ｚ側、−Ｚ側及び−Ｙ側）の側壁を有するベース２１と、該ベース２１の３方の側壁及び上面を覆う状態で取り付けられるトップカバー２０と、これら両者により構成される、前面（＋Ｙ側の面）が開口した箱型の筐体の前面を塞ぐ状態で取り付けられるフロントベゼル２５とから構成される。
【００３５】
前記トップカバー２０及びベース２１は、外部からの衝撃に耐えられるように、例えば金属板等を加工して形成される。また、前記フロントベゼル２５は、例えばプラスチックにより形成され、＋Ｘ側寄りの部分に矩形（長方形）の開口部２５ａが形成されている。
【００３６】
図１に戻り、フロントベゼル２５の開口部２５ａの近傍には、トレイ８１を出し入れするイジェクトボタン２７が設けられている。前記トレイ８１は、筐体９１内のディスク回転位置に対して開口部２５ａを介して光ディスク１０を搬入する第１位置と回転位置から開口部２５ａを介して外部の出し入れ位置に光ディスク２５を搬出する第２位置との間で移動可能に、ドライブ装置本体９０（筐体９１）に装着されている。この場合、イジェクトボタン２７が押されると、その情報が、不図示のコントローラに送られ、該コントローラが所定の基準に従って後述するトレイ駆動用のモータを駆動するようになっている。
【００３７】
ドライブ装置１００の内部構成部品は、前述したベース２１内に収容される。このベース２１の内部には、図２に示されるように、メカシャーシ２２が配置され、該メカシャーシ２２の四隅近傍には防振部２３がそれぞれ設けられている。奥側（−Ｙ側）の２つの防振部２３は、螺子により不図示の固定部材に固定されている。残りの防振部２３は、メカシャーシ２２を−Ｙ側端部近傍の支軸を中心に起伏回動させてメカシャーシ２２の＋Ｙ側部分をＸ軸方向に上下させる不図示のアップダウン機構の一部に螺子止めされている。また、メカシャーシ２２の＋Ｙ側部分には、回転駆動機構としてのターンテーブル３２が設けられている。このターンテーブル３２の回転中心部には、光ディスク１０を保持するためのボス３２ａが設けられている。ターンテーブル３２の駆動源は、不図示のスピンドルモータである。
【００３８】
ターンテーブル３２に対向して、クランパ３６が設けられ、該クランパ３６は、ベース２１の上部にその長手方向の両端が固定されたクランパプレート３５に保持される。
【００３９】
この場合、光ディスク１０がターンテーブル３２上にローディングされた状態で、前述のアップダウン機構によりメカシャーシ２２がアップされると、ディスククランパ３６によって、光ディスク１０がターンテーブル３２に押し付けられ、ターンテーブル３２及びディスククランパ３６によって光ディスク１０が狭持されるようになっている。そして、この状態で、ターンテーブル３２が不図示のスピンドルモータによって回転駆動されることにより、光ディスク１０が回転されるようになっている。本実施形態では、このようにして光ディスク１０の回転が行われるので、前述のディスク回転位置は、ターンテーブル３２の位置を指す。
【００４０】
次に、前記トレイ８１の構成等について図３及び図３のＢ−Ｂ線断面図である図４に基づいて説明する。
【００４１】
図３には、トレイ８１の平面図が示されている。トレイ８１は、例えばプラスチック等から構成され、図３に示されるように、トレイ８１の前面（＋Ｘ側面）には段つきのほぼ円形の凹部８０ｂが形成されている。このうち、１段目の凹部には、例えば１２センチＣＤなどの光ディスクがセットされ、２段目の凹部には、例えば８センチＣＤなどの光ディスクがセットされるようになっている。なお、以下においては、これらの凹部をまとめて「トレイ受け皿部８０ｂ」と呼ぶものとする。
【００４２】
また、トレイ８１には、図３におけるＸ軸方向に貫通して開口８０ａが形成されている。この開口８０ａは、トレイ８１をドライブ装置本体９０内に収納した際に、トレイ８１がターンテーブル３２や、光ピックアップＰＵなどに対して機械的に干渉するのを防止できるような形状とされている。また、トレイ８１の裏面（−Ｘ側の面）の±Ｚ側端部近傍には、不図示の溝部がＹ軸方向に沿って形成されており、更に、トレイ８１の−Ｚ側の側壁の内面には、不図示のラックがＸ軸方向に延設されている。
【００４３】
前記トレイ受け皿部８０ｂの周縁部を構成する壁（以下、「周辺部壁」と呼ぶ）８０ｃには、図３及び図４に示されるように、その下側（−Ｚ側）部分及び上側（＋Ｚ側）部分にそれぞれトレイ受け皿部８０ｂの内側に突設する状態で特定の爪部としての庇部８８が４ヶ所形成されている。各庇部８８は、段差が存在しない滑らかな先端形状を有している。具体的には、各庇部８８の先端部の形状が、円の一部又は楕円の一部を構成する弧状である。なお、庇部８８は、それぞれその±Ｚ方向の端部近傍ほどトレイ受け皿部８０ｂの内側方向に多く突出しており、Ｚ軸方向の中央部近傍ほどその突出量は少なくなっている。これは、縦置き使用時にディスクの脱落及び傾倒を防止するため、使用時に下側に位置する可能性のある部分の庇部を他の部分に比べて大きくしているのである。
【００４４】
次に、トレイ８１を図１の矢印Ａ、Ａ’方向に駆動するトレイ駆動機構３０について、カバー２０を一部破断して示す図５に基づいて説明する。
【００４５】
前記トレイ駆動機構３０は、回転軸４１ａを時計回り又は反時計回りに回転駆動する電動機（モータ）４１と、該モータ４１の回転軸４１ａに固定されたプーリー４３と、モータ４１近傍に設けられた複数のギアから成るギア列４７と、プーリー４３の回転をギア列４７を構成する１つのギア４７ｂに伝達する駆動ベルト４５とを備えている。ギア列４７を構成するギアのうちの最も−Ｚ側に位置するギア４７ａは、トレイ８１に設けられた前記ラックと噛み合い、一種のピニオンとして機能する。
【００４６】
このように構成されるトレイ駆動機構３０では、モータ４１の回転軸４１ａの回転により、プーリー４３、駆動ベルト４５を介してギア列４７を構成する個々のギアが駆動される。そして、−Ｚ方向端部に位置するギア４７ａが反時計回り又は時計回りに回転駆動され、ラックを介してトレイ８１を矢印Ａ方向又は矢印Ａ’方向に駆動するようになっている。この場合、プーリー４３、駆動ベルト４５、及びギア列４７によって、モータ４１（より正確には回転軸４１ａ）の回転を減速してギア４７ａ、さらにはラックに伝達する減速機構が構成されている。
【００４７】
ここで、トレイ８１が矢印Ａ方向に所定距離だけ駆動され、図５に点線にて示される位置に達すると、ギア列４７の近傍に設けられたストッパ５２が、トレイ８１の側面に形成された不図示の切り欠きに係合し、トレイ８１の更なる矢印Ａ方向への移動が阻止されるようになっている。この状態では、トレイ８１のトレイ受け皿部８０ｂがドライブ装置本体９０の外部に完全に露出するため、ユーザはトレイ受け皿部８０ｂへ光ディスク１０をセットし、あるいはトレイ受け皿部８０ｂから光ディスク１０を取り出したりすることができる。従って、以下では、トレイ８１の図５に点線で示される位置を「ディスク着脱位置」と呼ぶものとする。このディスク着脱位置では、図６（Ａ）に示されるように、光ディスク１０は、トレイ受け皿部８０ｂの中心よりやや下側（−Ｚ側）にずれた状態で保持されることになる。
【００４８】
また、トレイ８１が矢印Ａ’方向に最大限に移動し、ドライブ装置本体８０内に完全に収容された状態では、トレイ８１に形成された開口８０ａを形成する＋Ｙ側の壁に対して僅かに隙間を空けた位置にターンテーブル３２が位置するようになっており、トレイ受け皿部８０ｂ上に光ディスク１０がセットされている場合には、光ディスク１０に対する情報の記録、並びに光ディスク１０に記録された情報の再生及び消去が可能となっている。従って、以下においては、トレイ８１のこの状態での位置を「記録・再生位置」と呼ぶものとする。この記録・再生位置では、図６（Ｂ）に示されるように、ボス３２ａが光ディスク１０の中心孔に嵌合するようになっている。
【００４９】
この場合、前述のように光ディスク１０がトレイ８１のやや下側にずれているため、ターンテーブル３２の高さ（Ｚ方向の位置）と光ディスク１０の中心孔の高さが一致しないこととなる。しかしながら、図７（Ａ）に示されるように、ボス３２ａの先端がテーパー状に加工されているため、ターンテーブル３２の高さと中心孔の高さとが一致しない場合でも、テーパー加工部分がガイドの役割を果たし、図７（Ｂ）に示されるように光ディスク１０の回転中心とターンテーブル３２の回転中心とがほぼ一致するように、光ディスク１０をターンテーブル３２によって保持可能となっている。より具体的には、ボス３２ａの先端部と光ディスクを実際に保持する部分との半径差ΔＬ１が、光ディスク１０の中心孔の中心とターンテーブル３２の回転中心との高さ差ΔＬ２よりも大きい場合であれば、ボス３２ａによる光ディスク１０の保持が可能となる。なお、実際にはターンテーブル３２は前記アップダウン機構によりＸ軸方向のみに駆動されるので、Ｚ軸方向には光ディスク１０が移動することになるが、図７（Ｂ）では、図示の便宜上ターンテーブル３２がＺ軸方向にも動くかのように示している。
【００５０】
図５に戻り、ターンテーブル３２の−Ｙ側には前記光ピックアップＰＵが配置されている。この光ピックアップＰＵは、光ディスク１０の記録面にレーザビームを照射するとともに、記録面からの反射光を受光する。また光ピックアップＰＵは、光ピックアップＰＵを構成する対物レンズＬＳを光ディスク１０に対してＹ軸方向及びＸ軸方向に駆動するための駆動機構を備えている。
【００５１】
次に、上記のようにして構成されたドライブ装置１００の動作について簡単に説明する。
【００５２】
ユーザにより、図１に示されるフロントベゼル２５に設けられたイジェクトボタン２７が押されると、前述の如くして不図示のコントローラによりモータ４１（より正確には回転軸４１ａ）が所定方向、例えば反時計回りに回転駆動される。このモータ４１（より正確には回転軸４１ａ）の回転はプーリー４３、駆動ベルト４５、ギア列４７（−Ｚ端に位置するギア４７ａを除くギア）を介してトレイ８１のラックに噛み合った状態のギア４７ａを反時計回りに回転駆動する。これにより、トレイ８１は、図５の矢印Ａ方向に駆動される。そして、所定距離駆動されるとトレイ８１の側面に形成された切り欠きにストッパ５２が係合し、トレイ８１が前記ディスク着脱位置に位置決めされる。このディスク着脱位置にトレイが位置決めされると、不図示のセンサ（又はリミットスイッチ）がこれを検知し、その検知信号が不図示のコントローラに伝達され、コントローラによってモータ４１が停止される。
【００５３】
トレイ８１がディスク着脱位置にある状態で、ユーザにより光ディスク１０がトレイ８１のトレイ受け皿部８０ｂにセットされ（あるいは、既にトレイ受け皿部８０ｂに光ディスクがセットされている場合には、新たな光ディスク１０との交換がなされ）、その後、ユーザによりイジェクトボタン２７が押される、あるいはトレイ８１が矢印Ａ’方向に僅かに押されると、これらの動作が不図示のコントローラに伝達され、コントローラによってモータ４１は、前記所定方向とは反対方向、例えば時計回りに回転駆動される。これにより、ギア４７ａが時計回りに回転駆動され、トレイ８１が矢印Ａ’方向へと駆動される。
【００５４】
そして、トレイ８１が前記記録・再生位置まで移動すると、ボス３２ａの＋Ｘ側に光ディスク１０の中心孔が位置することとなる。このとき、ターンテーブル３２は、前記アップダウン機構により所定位置まで上昇駆動され、ターンテーブル３２とディスククランパ３６とにより前述のようにして光ディスク１０が挟持される。次いで、コントローラによりスピンドルモータが回転されると同時に光ピックアップＰＵからレーザビームが照射され、光ディスク１０から反射された光の検出、及び該検出された光の電気信号への変換などの処理を経て、光ディスク１０のリード・イン領域に記録されている情報が読み取られ、その後コントローラによりターンテーブル３２は停止される。
【００５５】
その後、ユーザによる動作開始指示に応じて、光ディスク１０が回転駆動されるとともに、光ピックアップＰＵからレーザビームが照射され、光ディスク１０への情報の記録、並びに光ディスク１０に記録されている情報の再生及び消去が実行される。
【００５６】
ところで、前述したように、上記動作に伴って光ディスク１０が回転駆動される場合の、該回転駆動に伴う風切り音がドライブ装置１００からの騒音に与える影響が非常に大きいことがわかっている。この風切り音の主たる発生要因は、前述のカルマン渦であるから、このカルマン渦列が形成され難くすることが望ましい。
【００５７】
そこで、本実施形態では、ドライブ装置１００を縦置きに使用した際に、光ディスク１０の傾倒防止用爪として、トレイ受け皿部８０ｂの上部側及び下部側に段差が存在しない滑らかな先端形状を有する庇部８８を設けることとしている。この庇部８８によれば、光ディスク１０の回転に伴う空気の流れの方向に対して抗するような部分がほとんど存在しないので、カルマン渦列が形成され難くなり、風切り音の発生が極力抑制されることとなる。
【００５８】
ここで、発明者は、本実施形態に係るドライブ装置１００を用いて、従来から比較的多く用いられている傾倒防止用爪（例えば、フック、弾性舌片等）を備える光ディスクドライブ装置に対する騒音の低減効果について実験を行った。
【００５９】
具体的には、光ディスクを４０倍速（回転数８０００ｒｐｍ）で回転させ、ユーザ位置（オペレータ位置）における音圧レベルを測定することとした。ここでは、人間の耳の感度が鋭い帯域の音についての音圧レベル、すなわち通常の騒音レベルとして用いられる「Ａ特性音圧レベル（単位ｄＢ（Ａ））」を測定するものとした。
【００６０】
この結果、従来の光ディスクドライブ装置におけるＡ特性音圧レベルが平均値として４６ｄＢ（Ａ）であったのに対し、本実施形態に係るドライブ装置１００では、平均値として４４ｄＢ（Ａ）であり、明らかな違いがあった。すなわち、本実施形態に係るドライブ装置１００を用いることにより、人の耳に聞こえる騒音は、１５〜２０％低減されることとなることが判明した。
【００６１】
以上詳細に説明したように、本実施形態のドライブ装置１００によると、光ディスクの回転軸をほぼ水平方向に維持して使用する（すなわち、いわゆる「縦置き」で使用する）際に、光ディスクの傾倒防止用爪としてトレイ８１に設けられた、光ディスクの外縁部の少なくとも一部を遊嵌する複数の庇部８８が、光ディスク１０の回転方向に対して滑らかな形状とされているので、光ディスクの回転に伴って発生する気流と庇部との間の抵抗が低減され、これにより、光ディスクの回転に伴う風切り音の発生及び増幅が極力抑制されることとなる。また、ディスクの回転軸をほぼ鉛直方向に維持して使用する（すなわち、いわゆる「横置き」で使用する）場合であっても、同様に、庇部による風切り音の発生及び増幅は極力抑制されるようになっている。この場合、トレイ８１は、使用時にはドライブ装置本体内に収容されるので、その外観に影響を与えることも無い。すなわち、本実施形態のドライブ装置によると、その外観に影響を与えることなく、その使用状態に関わらず、騒音の発生を極力低減することが可能となっている。
【００６２】
なお、上記実施形態では、光ディスク１０を保持する部分、すなわち±Ｚ側について庇部を多めにとることとしたが、全体的に同一量だけ突出した庇部を設けることとしても良い。
【００６３】
また、上記実施形態では、トレイ８１のＺ軸方向両端部近傍及びＹ軸方向両端部近傍には庇部を設けないこととしたが（図３等参照）、これに限らず、設計上可能であれば、全周にわたって庇部を設けることとしても良く、このように全周にわたって庇部を設ける場合には、その庇部に遮音壁としての効果をも持たせることが可能となる。
【００６４】
なお、上記実施形態では、ドライブ装置１００の使用態様に対応するため、図３における＋Ｚ側及び−Ｚ側のいずれにも庇部を設けることとしたが、例えば、図３に示される方向でのみ光ディスクドライブ装置が使用されるのであれば、庇部は、＋Ｚ側に設ける必要が無く、−Ｚ側にのみ設けることとすれば足りる。
【００６５】
また、上記実施形態では、ドライブ装置１００を縦置きで使用する際に、光ディスク１０を保持するために必要な部分、すなわちトレイ受け皿部８０ｂの下側及び上側の部分にのみ庇部が設けられるものとして説明したが、本発明がこれに限られるものではなく、例えば図８に示されるように、トレイ受け皿部８０ｂの周辺部壁８０ｃの全周にわたって、トレイ受け皿部８０ｂの内側に突設する状態で、庇部８８’を設けることとしても良い。このようにしても、風切り音の発生が極力抑制されるので、従来に比べてディスクドライブ装置から発生する騒音を小さくすることが可能となる。図９（Ａ）には、図８のＣ−Ｃ線断面図が示されており、図９（Ｂ）には、図８のＤ−Ｄ線断面図が示されている。これらの図からわかるように、前記庇部８８’は、周辺部壁８０ｃのほぼ全周にわたって形成されているが、その±Ｚ端部近傍ほどトレイ受け皿部８０ｂの内側方向に多く突出しており（図９（Ｂ）参照）、Ｚ軸方向中央部近傍ほどその突出量は少なくなっている。これは、縦置き使用時にディスクの脱落及び傾倒を防止するため、使用時に下側に位置する可能性のある部分の庇部を他の部分に比べて大きくしているのである。
【００６６】
また、上記実施形態では、庇部の先端部の形状として円の一部又は楕円の一部を構成する弧状である場合について説明したが、光ディスクの回転方向に対して滑らかな形状であって、光ディスクの回転により発生する気流と庇部との間の抵抗が低減される形状であれば、その他、種々の形状を採用することは可能である。
【００６７】
なお、上記実施形態では、庇部の全てを光ディスクの回転方向に対して滑らかな形状（円弧形状）とする、すなわち、傾倒防止用の爪部の全てが特定の爪部である場合について説明したが、本発明がこれに限られるものではなく、少なくとも１つ（一部）の爪部を庇部（すなわち、特定の爪部）とし、残りを従来の爪部としても、風切り音を低減することは可能である。
【００６８】
なお、上記実施形態では、トレイ８１の周辺部壁８０ｃに庇部を設けることとしたが、本発明はこれに限らず、周辺部壁８０ｃ自体を庇状に突出させ、その庇状の周辺部壁８０ｃに、光ディスクの回転方向に対して滑らかな形状を有する突起部を更に設けることとしても良い。
【００６９】
なお、上記実施形態では、トレイ８１を駆動する手段としてモータ４１を駆動源とする駆動機構３０を用いる場合について説明したが、本発明がこれに限られるものではなく、例えばモータ以外のアクチュエータを用いた駆動機構によってトレイを駆動しても良いし、あるいは手動にてトレイを移動させることとしても良い。また、イジェクトボタン２７をユーザが押すことにより、トレイ８１の開閉ロックが解除され、トレイ８１が僅かにドライブ装置本体９０から飛び出すようにし、該飛び出した状態のトレイ８１をユーザが、外部に引き出すような構成を採用しても良い。
【００７０】
また、上記実施形態では、イジェクトボタン２７をユーザが押すことにより、トレイ８１の出し入れを行う場合について説明したが、これに限らず、例えばドライブ装置１００の上位装置（例えばパソコン）からの指示によりトレイ８１の出し入れを行っても良い。
【００７１】
また、上記実施形態では、ドライブ装置１００及びそのローディング機構が、ＣＤ系の規格に準拠した光ディスクに対応した場合について説明したが、これに限らず、例えばＤＶＤ系の規格に準拠した光ディスクやレーザディスクＬＤの規格に準拠した光ディスクに対応するものであっても良い。さらに、ＣＤ系の規格に準拠した光ディスク及びＤＶＤ系の規格に準拠した光ディスクの両方に対応するドライブ装置であっても良い。要は、光ディスクに対する情報の記録、再生及び消去のうちの少なくとも再生を行うドライブ装置であれば、いずれの光ディスクであっても良い。また、情報記録媒体は、光ディスク以外の媒体であっても良い。要は、トレイにセット可能で、そのトレイを用いてローディング、アンローディングされるものであれば、その他の如何なる種類の情報記録媒体であっても良い。
【００７２】
また、ドライブ装置は、ディスクの搭載面が水平面に垂直となる、いわゆる縦置きタイプに限らず、ディスクの搭載面が水平面と一致するようないわゆる横置きタイプを採用することも可能である。
【００７３】
また、本発明のトレイはドライブ装置に限らず、平板状のディスク（円板）を回転する装置であれば、種々の装置に採用することが可能であり、平板状のディスクとしては、情報記録媒体に限らず、回転して使用される平板状の物体であれば、種々の物体を採用することができる。
【００７４】
【発明の効果】
以上詳細に説明したように、本発明のトレイによると、ディスク回転装置のディスクのローディング及びアンローディグに用いた場合に、ディスクの回転に伴う騒音を低減させることができるという効果がある。
【００７５】
また、本発明のディスク回転装置によると、ディスクの回転に伴う騒音を低減することができるという効果がある。
【図面の簡単な説明】
【図１】本発明の一実施形態に係るドライブ装置を示す概略斜視図である。
【図２】図１のドライブ装置の要部分解斜視図である。
【図３】図１のトレイを示す平面図である。
【図４】図３のＢ−Ｂ線断面図である。
【図５】ドライブ装置本体の内部を筐体の一部を破断して示す平面図である。
【図６】図６（Ａ）は、縦置き使用時に光ディスクをトレイに載置した状態を示す図であり、図６（Ｂ）は、ドライブ装置本体内にトレイ及び光ディスクが収容された状態を示す図である。
【図７】図７（Ａ）及び図７（Ｂ）は、光ディスクとターンテーブルとの位置関係、及びターンテーブルによる光ディスクの保持方法を説明するための図である。
【図８】本発明に係るトレイの変形例を説明するための図である。
【図９】図９（Ａ）は、図８のＣ−Ｃ線断面図であり、図９（Ｂ）は、図８のＤ−Ｄ線断面図である。
【符号の説明】
１０…光ディスク（ディスク、情報記録媒体）、２５ａ…開口部、８０…トレイ本体（トレイ本体部）、８１…トレイ、８８、８８’…庇部（特定の爪部）、９０…ドライブ装置本体（ディスク回転装置本体）、９１…筐体、１００…ドライブ装置（ディスク回転装置）、ＰＵ…光ピックアップ（ヘッド部）。
【図１】
2004234724.tif 000003
【図２】
2004234724.tif 000004
【図３】
2004234724.tif 000005
【図４】
2004234724.tif 000006
【図５】
2004234724.tif 000007
【図６】
2004234724.tif 000008
【図７】
2004234724.tif 000009
【図８】
2004234724.tif 000010
【図９】
2004234724.tif 000011